【手続補正書】
【提出日】令和3年10月7日(2021.10.7)
【手続補正１】
【補正対象書類名】特許請求の範囲
【補正対象項目名】全文
【補正方法】変更
【補正の内容】
【特許請求の範囲】
【請求項１】
１つ又はそれよりも多くのサーバ上で実行するように構成されるサービスを用いて第１のクライアントデバイス上で実行するように構成されるモバイルアプリケーションのユーザを認証するステップであって、前記１つ又はそれよりも多くのサーバは、１つ又はそれよりも多くのコンピューティングネットワークを介して前記第１のクライアントデバイスと通信的に連結され、前記サービスは、第２のクライアントデバイスと関連付けられる１つ又はそれよりも多くのパーソナルボイスアシスタントと対話するように構成され、前記パーソナルボイスアシスタントは、ユーザから発声自然言語入力を受信し、前記発声自然言語入力をデジタル出力データに変換する、認証するステップと、
前記認証に基づいて、前記コンピューティングネットワークのうちの１つ又はそれよりも多くを介して、前記第１のクライアントデバイスに、話すことができる信用証明書を提供するステップであって、前記話すことができる信用証明書は、ユーザによって大声で話されるように構成され、提供するステップは、前記第１のクライアントデバイスに、前記第１のクライアントデバイスの１つ又はそれよりも多くの出力デバイスを使用する出力として、前記話すことができる信用証明書を提供させる、提供するステップと、
前記第２のクライアントデバイスと関連付けられるパーソナルボイスアシスタントから直接的に又は間接的に、前記第２のクライアントデバイスで受信される前記ユーザからの発声自然言語入力に応答して生成されるデジタル出力データを受信するステップであって、前記発声自然言語入力は、前記話すことができる信用証明書の前記ユーザによる発話に含められる、受信するステップと、
前記データを前記話すことができる信用証明書に一致させるステップと、
前記一致に基づいて、前記サービスを用いて、前記第２のクライアントデバイスと関連付けられる前記パーソナルボイスアシスタントを認証するステップとを含み、
前記話すことができる信用証明書を提供するステップは、前記第２のクライアントデバイスと関連付けられる前記パーソナルボイスアシスタントによって前記第１のクライアントデバイスで前記話すことができる信用証明書に付随して出力されるべきメッセージを提供することを含み、更に、前記提供するステップは、前記第１のクライアントデバイスに、前記話すことができる信用証明書をディスプレイ上に視覚的に出力させる、
方法。
【請求項２】
前記提供するステップは、前記第１のクライアントデバイスに、スピーカを使用して前記話すことができる信用証明書を可聴的に出力させる、請求項１に記載の方法。
【請求項３】
前記提供するステップは、前記モバイルアプリケーションに、前記話すことができる信用証明書を出力として提供させる、請求項１に記載の方法。
【請求項４】
前記サービスは、１つ又はそれよりも多くのパーソナルボイスアシスタントにアクセス可能な音声作動可能なサービスのライブラリの一部である、請求項１に記載の方法。
【請求項５】
前記話すことができる信用証明書は、一連の英数字記号である、請求項１に記載の方法。
【請求項６】
前記話すことができる信用証明書は、１つ又はそれよりも多くの単語を含む、請求項１に記載の方法。
【請求項７】
１つ又はそれよりも多くのプロセッサと、該１つ又はそれよりも多くのプロセッサに動作的に連結されるメモリとを含み、該メモリは、指令を含み、該指令は、前記１つ又はそれよりも多くのプロセッサによる前記指令の実行に応答して、前記１つ又はそれよりも多くのプロセッサに、
ａ）１つ又はそれよりも多くのサーバ上で実行するように構成されるサービスを用いて第１のクライアントデバイス上で実行するように構成されるモバイルアプリケーションのユーザを認証させ、前記１つ又はそれよりも多くのサーバは、１つ又はそれよりも多くのコンピューティングネットワークを介して前記第１のクライアントデバイスと通信的に連結され、前記サービスは、第２のクライアントデバイスと関連付けられる１つ又はそれよりも多くのパーソナルボイスアシスタントと対話するように構成され、前記パーソナルボイスアシスタントは、ユーザから発声自然言語入力を受信し、前記発声自然言語入力をデジタル出力データに変換し、
ｂ）前記認証に基づいて、前記コンピューティングネットワークのうちの１つ又はそれよりも多くを介して、前記第１のクライアントデバイスに、話すことができる信用証明書を提供させ、該話すことができる信用証明書は、ユーザによって大声で発声されるように構成され、前記提供させることは、前記第１のクライアントデバイスに、前記第１のクライアントデバイスの１つ又はそれよりも多くの出力デバイスを使用する出力として、前記話すことができる信用証明書を提供させ、
ｃ）第２のクライアントデバイスと関連付けられるパーソナルボイスアシスタントから直接的に又は間接的に、前記第２のクライアントデバイスで受信される前記ユーザからの発声自然言語入力に応答して生成されるデジタル出力データを受信させ、前記発声自然言語入力は、前記話すことができる信用証明書の前記ユーザによる発話に含められ、
ｄ）前記データを前記話すことができる信用証明書に一致させ、
ｅ）前記一致に基づいて、前記サービスを用いて、前記第２のクライアントデバイスと関連付けられる前記パーソナルボイスアシスタントを認証させ、
前記話すことができる信用証明書を提供させる指令は、前記第２のクライアントデバイスと関連付けられる前記パーソナルボイスアシスタントによって前記第１のクライアントデバイスで前記話すことができる信用証明書と共に出力されるべきメッセージ指令を含み、更に、前記話すことができる信用証明書を提供させる指令は、前記第１のクライアントデバイスに、前記話すことができる信用証明書をディスプレイ上に視覚的に出力させる、
システム。
【請求項８】
前記話すことができる信用証明書を提供させる指令は、前記第１のクライアントデバイスに、スピーカを用いて前記話すことができる信用証明書を可聴的に出力させる、請求項７に記載のシステム。
【請求項９】
前記話すことができる信用証明書の受信は、前記モバイルアプリケーションに、前記話すことができる信用証明書を出力として提供させる、請求項７に記載のシステム。
【請求項１０】
前記サービスは、１つ又はそれよりも多くのパーソナルボイスアシスタントにアクセス可能な音声作動可能なサービスの一部である、請求項７に記載のシステム。
【請求項１１】
指令を含む非一時的コンピュータ可読媒体であって、
前記指令は、１つ又はそれよりも多くのプロセッサによる前記指令の実行に応答して、前記１つ又はそれよりも多くのプロセッサに、
ａ）１つ又はそれよりも多くのサーバ上で実行するように構成されるサービスを用いて第１のクライアントデバイス上で実行するように構成されるモバイルアプリケーションのユーザを認証する動作を実行させ、前記１つ又はそれよりも多くのサーバは、１つ又はそれよりも多くのコンピューティングネットワークを介して前記第１のクライアントデバイスと通信的に連結され、前記サービスは、第２のクライアントデバイスと関連付けられる１つ又はそれよりも多くのパーソナルボイスアシスタントと対話するように構成され、前記パーソナルボイスアシスタントは、ユーザから発声自然言語入力を受信し、前記発声自然言語入力をデジタル出力データに変換し、
ｂ）前記認証に基づいて、前記コンピューティングネットワークのうちの１つ又はそれよりも多くを介して、前記第１のクライアントデバイスに、話すことができる信用証明書を提供する動作を実行させ、前記話すことができる信用証明書は、ユーザによって大声で発声されるように構成され、前記提供する動作は、前記第１のクライアントデバイスに、前記第１のクライアントデバイスの１つ又はそれよりも多くの出力デバイスを使用する出力として、前記話すことができる信用証明書を提供させ、
ｃ）前記第２のクライアントデバイスと関連付けられるパーソナルボイスアシスタントから直接的に又は間接的に、前記第２のクライアントデバイスで受信される前記ユーザからの発声自然言語入力に応答して生成されるデジタル出力データを受信する動作を実行させ、前記発声自然言語入力は、前記話すことができる信用証明書の前記ユーザによる発話として含められ、
ｄ）前記データを前記話すことができる信用証明書に一致させる動作を実行させ、
ｅ）前記一致に基づいて、前記サービスを用いて、前記第２のクライアントデバイスと関連付けられる前記パーソナルボイスアシスタントを認証する動作を実行させ、
前記話すことができる信用証明書を提供する動作は、前記第２のクライアントデバイスと関連付けられる前記パーソナルボイスアシスタントによって前記第１のクライアントデバイスで前記話すことができる信用証明書に付随して出力されるべきメッセージを提供することを含み、更に、前記提供する動作は、前記第１のクライアントデバイスに、前記話すことができる信用証明書をディスプレイ上に視覚的に出力させる、
少なくとも１つの非一時的コンピュータ可読媒体。